(57)【要約】      （修正有）【課題】通信中の着信音の鳴動を電話機の状態に応じて適切に制御可能な電話機を提供する。【解決手段】通信中に第三者からの着信があった場合に着信音を鳴動する電話機５０において、前記電話機５０は、通信中に第三者からの着信を検出する通信中着信判定部５１１と、電話機の状態を判定する電話機状態判定部５１２と、音声処理部５０６と、を備え、前記通信中着信判定部５１１が、通信中に第三者からの着信を判定すると、前記電話機状態判定部５１２は自電話機の通信中における状態を判定し、前記音声処理部５０６は前記状態に応じて異なる通信中着信音を鳴動する。通話中の場合は通話音声に着信音を重畳して出力し、保留または被保留の場合には保留音を一時遮断して着信音のみを出力する。その際、着信音の音量を通常より大きくする。【選択図】図２
2009055084.tif 000002
【特許請求の範囲】
【請求項１】
通信中に着信があった場合に着信音を鳴動する電話機において、
前記電話機は、通信中に着信を検出する通信中着信判定部と、電話機の状態を判定する電話機状態判定部と、音声処理部と、を備え、
前記通信中着信判定部が、通信中に着信を判定すると、前記電話機状態判定部は自電話機の通信中における状態を判定し、前記音声処理部は前記状態に応じて異なる通信中着信音を鳴動することを特徴とする電話機。
【請求項２】
前記電話機状態判定部が、自電話機が通話中であると判定した場合、前記音声処理部は、通話音声に着信音を重畳して出力することを特徴とする請求項１に記載の電話機。
【請求項３】
前記電話機状態判定部が、自電話機が保留中または被保留中であると判定した場合、前記音声処理部は、保留または被保留音を一時遮断し、着信音を出力することを特徴とする請求項２に記載の電話機。
【請求項４】
前記電話機状態判定部が、自電話機が保留中または被保留中であると判定した場合、前記音声処理部は、保留または被保留音を一時遮断し、通常の着信音の音量よりも大きい音量とした着信音を出力することを特徴とする請求項２に記載の電話機。
【発明の詳細な説明】
【技術分野】
【０００１】
本発明は、通信中に第三者からの着信があった場合に、通話中の音声信号などに着信音を重畳させて鳴動させることにより着信を報知する着信報知サービスに対応する電話機に関するものであり、特に、通信中の電話機の状態（通話中、保留中、被保留中）に応じて着信音の鳴動方法を変化させるようにした電話機に関するものである。
【背景技術】
【０００２】
一般に、加入者電話システムにおいては、任意の二者間で通信中に、一方の当事者の電話機に対して第三者からの着信が発生した場合に、当該一方の当事者の電話機に対して通信中着信音を鳴動できるようにして、着信を報知する着信報知サービスが通信会社により提供されている。
【０００３】
このサービスは、通話中に第三者より着信があると、通話中の着信者に対して受話音声に重畳して４００Ｈｚの所定周期の信号音が発せられることにより、第三者からの着信を報知するようになっている。そして、この報知音に応答して、通話者が電話機のフックスイッチを短時間押し下げると、現在通話中の回線が一時保留され、通話中に着信のあった第三者との間で通話が行えるようになっている。そして第三者との通話が終了して、通話者が電話機のフックスイッチを再度短時間押し下げると、保留していた回線の通話相手と接続されて、再び通話が行えるようになっている。
【０００４】
このような着信報知サービスは、例えば、下記の特許文献１（特開平６−７８０３９号公報）に電話機システムとして開示されている。この電話機システムは、通話中に第三者より着信があった場合、接続装置や他の電話端末機に対しても第三者よりの着信を報知するようにしたものであり、接続装置である親機に、受話信号中に含まれるキャッチホンサービス信号を検出して検出信号を出力するキャッチホンサービス信号検出回路と、この検出回路からの検出信号に基づいて第三者よりの着信であることを報知するスピーカと、前記検出信号に基づいてキャッチホンコマンド信号を電話端末機に送出する無線制御部とを備え、電話端末機に、無線制御部からのキャッチホンコマンド信号に基づいて第三者よりの着信であることを報知する報知手段を設けたものである。
【０００５】
また、下記の特許文献２（特開２００２−３００２８４号公報）には、発信者や着信者ごとに所望のメロディパターンの着信音や呼出し音を設定できるようにしたコールウェイティングシステムが開示されている。このシステムは、通信中の加入者Ｂに着信を行なおうとする第三の加入者Ｃは電話端末から交換機（Ｃ）を介して制御局に所望のコールウェイティング着信音用のメロディパターンを送出し、制御局はメロディパターンを受信して蓄積し、コールウェイティング呼を着信させるに当たり、メロディパターンを読み出し、このメロディパターンのコールウェイティング着信音を加入者Ｂに送出して、コールウェイティングの着信を通信中の加入者Ｂに通知するように構成されたものである。
【０００６】
また、このような着信報知の機能をＩＰ電話システムに採用することも行われている。例えば、下記の特許文献３（特開２００６−１９１６００号公報）には、起呼加入者識別音声を通話中着信通知サービスに提供する方法が開示されている。この通話中着信通知方法は、被呼加入者の端末が現に通話中の場合に、被呼加入者の端末に着信した呼設定メッセージを受信するステップと、被呼加入者が起呼加入者識別音声サービスに登録済みであるかどうかを決定するステップと、被呼加入者の端末に起呼加入者識別音声を送信するステップと、を含むものである。
【０００７】
このような方法によれば、パケット交換ネットワークサービス、例えば、ＶｏＩＰネットワークサービスのユーザは、通話中に起呼加入者が誰であるかを静かに伝える極めて優しく囁くようなトーンを聞くことが可能であり、該トーンは、被呼加入者だけに聞こえるが、通話中の音声パスは消音しない特徴があので、加入ユーザは、この囁くようなトーンを受信しながら、通話中の会話を聞くことができるようになる。
【特許文献１】特開平６−７８０３９号公報
【特許文献２】特開２００２−３００２８４号公報
【特許文献３】特開特開２００６−１９１６００号公報
【発明の開示】
【発明が解決しようとする課題】
【０００８】
通常、通信中に着信音を鳴動させる方法には、次の２通りの方法が採られる。第１の方法は、会話中の音声信号を一時的に遮断し、着信音を鳴動させる方法である。この方法の場合、第三者からの着信を確実に認識させることができる利点がある反面、会話が一時中断されるため会話に支障をきたす懸念がある。特に重要な要件を会話している場合には会話の一時中断は許容し難いという問題点がある。
【０００９】
第２の方法は、会話中の音声に着信音を重畳させる方法である。この方法の場合は、会話に支障をきたすことがないという利点がある反面、電話機の状態が通話中でなく、保留中や被保留中の場合、保留音に着信音が重畳されるが保留音に着信音が埋もれてしまい着信を識別し難くなるという懸念がある。特に通話中と比較して、保留状態や被保留状態では、利用者の意識が電話機から発生される音に集中しなくなることが多いため、着信を識別し難くなる傾向がより顕著になる。
【００１０】
上記特許文献１ないし特許文献３に開示された着信報知の方法においては、電話機の状態による着信報知について考慮されておらず上記の問題点を解消することができない。
【００１１】
一般に、アナログ電話機では通信中の着信音は、交換機が生成して通話相手先音声に重畳して送出し、電話機はその音を通話音声として聴取する構成になっている。一方、ＩＰ電話機では、呼制御信号によって通信中通信を検出した電話機が自己の音源を用いた通信中着信音を生成し鳴動させる構成になっている。ＩＰ電話機において、被保留側電話機が保留音を鳴動する方法としては、自己の音源で生成した保留音を鳴動する方法と、保留側電話機や保留音源を有するサーバが送出する保留音を通話音声として聴取する方法の２通りの方法がある。
【００１２】
このようにＩＰ電話システムにおいては、通信中の着信音の鳴動パターン（トーン、音量、メロディーなど）を自由に扱えることになるが、通常は利用者が違和感を覚えることがないようにアナログ電話機の通信中着信音の鳴動方法と同様の方法が採られているのが一般的である。
【００１３】
ところで、ＩＰ電話システムでは呼制御信号によって自電話機の状態（通話状態、保留状態、被保留状態など）を遷移させその動作を変える構成が採られる。本発明は、上記の問題点に鑑みなされたものであって、ＩＰ電話システムにおいては自電話機の状態を遷移することができる点に着目し、通信中の着信音の鳴動を電話機の状態に応じて適切に制御可能な電話機およびＩＰ電話システムを提供することを目的とするものである。
【課題を解決するための手段】
【００１４】
前記課題を解決するために、本願の請求項１にかかる発明は、通信中に第三者からの着信があった場合に着信音を鳴動する電話機において、前記電話機は、通信中に第三者からの着信を検出する通信中着信判定部と、電話機の状態を判定する電話機状態判定部と、音声処理部と、を備え、前記通信中着信判定部が、通信中に第三者からの着信を判定すると、前記電話機状態判定部は自電話機の通信中における状態を判定し、前記音声処理部は前記状態に応じて異なる通信中着信音を鳴動することを特徴とする。
【００１５】
本願の請求２にかかる発明は、請求項１にかかる電話機において、前記電話機状態判定部が、自電話機が通話中であると判定した場合、前記音声処理部は、通話音声に着信音を重畳して出力することを特徴とする。
【００１６】
本願の請求項３にかかる発明は、請求項２にかかる電話機において、前記電話機状態判定部が、自電話機が保留中または被保留中であると判定した場合、前記音声処理部は、保留または被保留音を一時遮断し、着信音を出力することを特徴とする。
【００１７】
本願の請求項４にかかる発明は、請求項２にかかる電話機において、前記電話機状態判定部が、自電話機が保留中または被保留中であると判定した場合、前記音声処理部は、保留または被保留音を一時遮断し、通常の着信音の音量よりも大きい音量とした着信音を出力することを特徴とする。
【発明の効果】
【００１８】
請求項１にかかる発明においては、前記電話機は、通信中に第三者からの着信を検出する通信中着信判定部と、電話機の状態を判定する電話機状態判定部と、音声処理部と、を備え、前記通信中着信判定部が、通信中に第三者からの着信を判定すると、前記電話機状態判定部は自電話機の通信中における状態を判定し、前記音声処理部は前記状態に応じて異なる通信中着信音を鳴動する。
【００１９】
このような構成によれば、自電話機が通信中に第三者からの着信を検出した場合、自電話機の状態に応じて異なる着信音の鳴動を行えば、利用者に通話中の会話に支障をきたすことなく、また、保留や被保留状態にあっても着信を容易に認識させることができるようになる。
【００２０】
請求項２にかかる発明においては、電話機状態判定部が、自電話機が通話中であると判定した場合、前記音声処理部は、通話音声に着信音を重畳して出力する。
【００２１】
このような構成によれば、自電話機が通信中に第三者からの着信を検出した場合、自電話機の状態が通話中である場合、利用者に通話中の会話に支障をきたすことなく着信を容易に認識させることができるようになる。
【００２２】
請求項３にかかる発明においては、電話機状態判定部が、自電話機が保留中または被保留中であると判定した場合、前記音声処理部は、保留または被保留音を一時遮断し、着信音を出力する。
【００２３】
このような構成によれば、自電話機が通信中に第三者からの着信を検出した場合、自電話機の状態が保留中または被保留中である場合、保留音（または被保留音）を一時遮断するので、利用者の意識が電話機から離れていても着信を容易に認識させることができるようになる。
【００２４】
請求項４にかかる発明においては、電話機状態判定部が、自電話機が保留中または被保留中であると判定した場合、前記音声処理部は、保留または被保留音を一時遮断し、通常の着信音の音量よりも大きい音量とした着信音を出力する。
【００２５】
このような構成によれば、自電話機が通信中に第三者からの着信を検出した場合、自電話機の状態が保留中または被保留中である場合、保留音（または被保留音）を一時遮断すし、着信音の音量を大きくするので、利用者の意識が電話機から離れていても着信をより確実に、また容易に認識させることができるようになる。
【発明を実施するための最良の形態】
【００２６】
以下、本発明の具体例を実施例及び図面を用いて詳細に説明する。以下に示す実施例は、グループ着信機能を有するＩＰ電話システムを具体例として説明するが、この実施例は本発明の技術思想を具体化するための１例を例示するものであって、本発明をこのＩＰ電話システムに特定することを意図するものではなく、複数の電話番号を設定可能な電話機を有する構内電話システムなど、特許請求の範囲に含まれるその他の実施形態の電話システムにも等しく適用し得るものである。
【実施例１】
【００２７】
図１は、本発明の実施例１にかかるＩＰ電話システムの構成を示すシステム構成図である。このＩＰ電話システムは、ＩＰ電話機Ａ（参照符号５０）〜ＩＰ電話機Ｎ（以下単に電話機という）と、呼制御サーバ４０と、ゲートウェイ３０とから構成される。呼制御サーバ４０は、ＳＩＰ（Ｓｅｓｓｉｏｎ  Ｉｎｉｔｉａｔｉｏｎ  Ｐｒｏｔｏｃｏｌ）プロトコルを適用したＳＩＰサーバを用いることができる。
【００２８】
電話機Ａ〜電話機Ｎへの呼はゲートウェイ３０を介して行われる。電話回線網１２に接続された加入者電話機１５との間の呼は、呼制御サーバ４０の呼接続制御のもとで電話機Ａ〜電話機Nに接続される。また、ルータ１７に接続される他のＩＰ電話システムに設置された端末との間の呼は、インターネット網１１、ルータ２０を介して呼制御サーバ４０の呼接続制御のもとで電話機Ａ〜電話機Ｎに接続される。図１において電話機Ａ以外の電話機Ｂ〜電話機Ｎは、その構成の図示を省略しているが、電話機Ａと同様の構成である。
【００２９】
呼制御サーバ４０は、制御回路４０１の他、各端末への着信を制御する着信制御部４０３、各電話機Ａ〜電話機Ｎに設定された電話番号を記憶する端末電話番号記憶部４０４を備えている。端末電話番号記憶部４０４にはＩＰ電話システム１０に収容される各電話機Ａ〜電話機Ｎに設定された電話番号が記憶してある。着信制御部４０３は端末電話番号記憶部４０４に記憶された端末ＩＤと電話番号により着信呼を該当する電話機に接続する制御を行う。
【００３０】
一方、電話機５０（電話機Ａ）は、一般的なＩＰ電話機と同様に制御回路５０１、メモリ５０２、表示部５０３、操作部５０４、通信部５０５、音声処理部５０６を備えて構成される。制御回路５０１はＲＡＭ、ＲＯＭを有するマイクロプロセッサから構成され、ＲＯＭに記憶された制御プログラムに基づいて各部を制御する。
【００３１】
操作部５０４は英数キー、機能キーなどを有し、電話番号入力や発信など各種操作に使用される。表示部５０３は液晶表示ユニットなどから構成され、電話機５０の各種設定画面や着信電話の表示などに使用される。メモリ５０２は着信履歴や電話機５０の各種状態などを記憶する。通信部５０５は、ゲートウェイ３０やルータ２０を介して相手側電話機との通信を行う。
【００３２】
図２は、電話機５０の詳細な構成を示すブロック図であり、制御部５０１は、通信中に第三者からの着信を検出する通信中着信判定部５１１と、電話機の状態を判定する電話機状態判定部５１２を備え、音声処理部５０６にはマイク５０７、スピーカ５０８が接続されている。
【００３３】
電話機５０の状態とは、電話機５０が通信中の状態か否か、また、通信中の状態にある場合には、通話中か、保留中か、被保留中かなどであり、自電話機５０の状態は遷移するたびにメモリ５０２の状態情報記憶領域（図示せず）に記憶される。電話機状態判定部５１２は、メモリ５０２に記憶された状態情報に基づいて自電話機５０の状態を判定する。
【００３４】
一方、通信中着信判定部５１１は、電話機５０が通信中の状態にある時に呼制御サーバ４０を介して第三者からの着信通知があった場合に、これを検出するものである。通信中着信判定部５１１がこれを検出すると、電話機５０は着信音を鳴動させ、利用者に第三者からの着信があったことを報知する。
【００３５】
ＩＰ電話における着信音の鳴動は一般的には、電話機５０が持つ音源を用いて音声処理部５０６において通話中の会話（音声）に重畳させる制御を行い、スピーカ５０８を介して利用者に着信を報知するようになされる。
【００３６】
本実施例１の電話機５０においては、電話機状態判定部５１２が判定した自電話機の状態に応じて異なる着信音の鳴動制御を行う。通信中の自電話機５０の状態が通話中である場合には、音声処理部５０６は、通常の着信音鳴動と同様に、通話音声に着信音を重畳させて出力する。
【００３７】
通話中の自電話機５０の状態が保留中または被保留中の場合、通常、音声処理部５０６は保留音または被保留音を出力しているが、これを一時遮断し、着信音のみを鳴動させて出力する。
【００３８】
通信中に第三者からの着信を検出した場合、上記のように自電話機の状態に応じて異なる着信音の鳴動を行えば、利用者に通話中の会話に支障をきたすことなく、また、保留や被保留状態にあっても着信を容易に認識させることができるようになる。
【００３９】
図３は、本発明の実施例１にかかる電話機５０における着信音の鳴動手順を示すフローチャートである。図３において電話機５０は通信中であるものとする。ステップＳ１０１で通信中着信判定部５１１は、第三者からの電話機５０への着信があるか否かを判定する。着信がなければステップＳ１０１の判定処理を繰り返す。
【００４０】
ステップＳ１０１の判定処理において、第三者からの電話機５０への着信が検出された場合、ステップＳ１０２の処理において電話機状態判定部５１２は自電話機５０の状態が通話中であるか否かを判定する。通話中であれば、ステップＳ１０３の処理に進み、音声処理部５０６は、通常の着信音鳴動と同様に、通話音声に着信音を重畳させて出力する。
【００４１】
ステップＳ１０２の判定処理において自電話機５０が通話中でなければ、ステップＳ１０４の処理に進み自電話機５０が保留状態か否かを判定する。保留状態であると判定されれば、ステップＳ１０５の処理に進み、音声処理部５０６は保留音（または被保留音）を一時遮断し、着信音のみを鳴動させて出力する。
【００４２】
ステップＳ１０４の判定処理において自電話機５０が保留状態でなければ、ステップＳ１０６の処理に進み自電話機５０が被保留状態か否かを判定する。保留状態であると判定されれば、ステップＳ１０５の処理に進み、音声処理部５０６は保留音（被保留音）を一時遮断し、着信音のみを鳴動させて出力する。
【実施例２】
【００４３】
以上、説明した本発明の実施例１の電話機５０によれば、通話中に第三者からの着信が検出され、自電話機５０の状態が保留または被保留状態である場合、保留音を一時遮断して着信音を鳴動させる例を説明したが、着信音の音量を大きくして着信の報知を、利用者により確実に認識させることができるようにすると好ましい。
【００４４】
図４は、そのようにした本発明の実施例２にかかる電話機５０の処理手順を示すフローチャートである。なお、本実施例２における電話機５０の構成は、図２に示した実施例１にかかる電話機５０の構成と同様の構成であり、図示、説明は省略する。
【００４５】
図４において電話機５０は通信中であるものとする。ステップＳ２０１で通信中着信判定部５１１は、第三者からの電話機５０への着信があるか否かを判定する。着信がなければステップＳ２０１の判定処理を繰り返す。
【００４６】
ステップＳ２０１の判定処理において、第三者からの電話機５０への着信が検出された場合、ステップＳ２０２の処理において電話機状態判定部５１２は自電話機５０の状態が通話中であるか否かを判定する。通話中であれば、ステップＳ２０３の処理に進み、音声処理部５０６は、通常の着信音鳴動と同様に、通話音声に通常の音量の着信音を重畳させて出力する。
【００４７】
ステップＳ２０２の判定処理において自電話機５０が通話中でなければ、ステップＳ２０４の処理に進み自電話機５０が保留状態か否かを判定する。保留状態であると判定されれば、ステップＳ２０５の処理に進み、音声処理部５０６は保留音（または被保留音）を一時遮断し、音量を通常より大きくした着信音のみを鳴動させて出力する。
【００４８】
ステップＳ２０４の判定処理において自電話機５０が保留状態でなければ、ステップＳ２０６の処理に進み自電話機５０が被保留状態か否かを判定する。保留状態であると判定されれば、ステップＳ２０５の処理に進み、音声処理部５０６は保留音（被保留音）を一時遮断し、音量を通常より大きくした着信音のみを鳴動させて出力する。
【００４９】
このように、通信中に第三者からの着信を検出した場合、自電話機の状態に応じて異なる着信音の鳴動を行い、音量の制御を行えば、利用者に通話中の会話に支障をきたすことなく、また、保留や被保留状態にあっても着信を容易に認識させることができるようになる。
【図面の簡単な説明】
【００５０】
【図１】本発明の実施例１にかかるＩＰ電話システムの構成を示すシステム構成図である。
【図２】図１に示すＩＰ電話システムに接続される電話機の構成を示すブロック図である。
【図３】本発明の実施例１にかかるＩＰ電話システムにおける着信音鳴動信処理の手順を示すフローチャートである。
【図４】本発明の実施例２にかかるＩＰ電話システムにおける着信音鳴動信処理の手順を示すフローチャートである。
【符号の説明】
【００５１】
１０・・・・ＩＰ電話システム
１１・・・・インターネット網
１２・・・・電話回線網
１５・・・・加入者電話機
１７、２０・・・・ルータ
３０・・・・ゲートウェイ
４０・・・・呼制御サーバ
４０１・・・制御回路
４０３・・・着信制御部
４０４・・・端末電話番号記憶部
５０・・・・ＩＰ電話機（端末）
５０１・・・制御回路
５１１・・・通信中着信判定部
５１２・・・電話機状態判定部
５０２・・・メモリ
５０３・・・表示部
５０４・・・操作部
５０５・・・通信部
５０６・・・音声処理部
５０７・・・マイク
５０８・・・スピーカ
【図１】
2009055084.tif 000003
【図２】
2009055084.tif 000004
【図３】
2009055084.tif 000005
【図４】
2009055084.tif 000006